【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
左右一対の後輪（１４、１４）を有する走行部の後部に、
周回する複数の供給カップ（３３）を有する苗供給部（３１）と、この苗供給部（３１）からの苗を植付ける植付装置（１９）とを備えると共に、
この植付装置（１９）を前記苗供給部（３１）の周回経路の前下方に配置し、
前記走行部の上方には予備苗載置台（３０）を備えた苗移植機において、
前記予備苗載置台（３０）の下方であって、機体平面視で前記左右後輪（１４、１４）の間に副資材貯留部（４０１）を設けた苗移植機。
【請求項２】
前記副資材貯留部（４０１）の後部底面に、副資材を定量で圃場に供給する繰出部（４０２）を備えた請求項１に記載の苗移植機。
【請求項３】
前記副資材貯留部（４０１）の底面に前部傾斜面（Ｓ）を設けると共に、
前記走行部の動力が、副資材貯留部（４０１）の下方に設置したエンジン（１１）により供給され、
このエンジン（１１）の燃料タンク（４０３）の給油口（４０４）を、側面視における前記前部傾斜面（Ｓ）に対向する位置に配置した請求項２に記載の苗移植機。
【請求項４】
前記植付装置（１９）が、苗供給部（３１）から苗を受け取り圃場に植付ける植付具（２８）と、この植付具（２８）を昇降させる昇降リンク機構（２９）とから構成され、前記繰出部（４０２）の吐出口に連接した副資材落下通路（４０５）が、前記植付具（２８）の側方へ副資材を供給すると共に、
前記副資材落下通路（４０５）の出口部に、植付けた苗への副資材の接触を防止する副資材遮断部材（４０６）を備えた請求項１から請求項３のいずれかに記載の苗移植機。
【請求項５】
前記植付具（２８）が、
昇降リンク機構（２９）の先端と結合して昇降する固定基部（４０７）と、
この固定基部（４０７）に対して上下に移動可能なホルダー開閉基部（４０８）と、
このホルダー開閉基部（４０８）に設けた２つの回動支点軸（２２５、２２６）をそれぞれの回動中心とするホルダー（２９１Ｒ、２９１Ｌ）と、
このホルダー（２９１Ｒ、２９１Ｌ）にそれぞれ一体として固着している嘴形状の側部材（１０９Ｒ、１０９Ｌ）とにより構成され、
前記ホルダー（２９１Ｒ、２９１Ｌ）のいずれかと一体として動作する回動操作アーム（２２８）を設け、
この回動操作アーム（２２８）が、固定基部（４０７）側に設けたカウンターアーム（１０４）と回動操作アーム（２２８）を連結する開閉ロッド（２３１）の上下動作に従って回動することにより前記ホルダー（２９１Ｒ、２９１Ｌ）を開閉させ、
前記固定基部（４０７）に対する前記ホルダー開閉基部（４０８）の上下移動にあわせて、前記回動操作アーム（２２８）と前記開閉ロッド（２３１）との連結部分（Ｃ）を上下に変更する構成とし、
前記ホルダー開閉基部（４０８）が下端に位置した場合の前記連結部分（Ｃ）の上下動作の中央点（Ｃ１）が、前記ホルダー開閉基部（４０８）が上端に位置した場合の前記連結部分（Ｃ）の上下動作の中央点（Ｃ２）よりも、前記回動支点軸（２２５、２２６）を含む基準面（Ｂ）に近接している請求項１から請求項４のいずれかに記載の苗移植機。
【請求項６】
前記植付具（２８）の圃場への植付位置の側方を押圧するフィルム押圧具（４０９）を備え、
前記フィルム押圧具（４０９）の圃場を押圧する前後方向に伸びた押圧部が、平面視において後方に向かうにしたがって、植付具（２８）側に近づくように配置され、
前記フィルム押圧具（４０９）が、圃場に接する押圧シート（４１０）を備え、
この押圧シート（４１０）の後方中央部分を切り欠き、
昇降リンク機構（２９）が、植付具（２８）を上昇させると、前記フィルム押圧具（４０９）の上下動作機構が、前記フィルム押圧具（４０９）を下降位置に移動させる請求項１から請求項５のいずれかに記載の苗移植機。
【手続補正２】
【補正対象書類名】明細書
【補正対象項目名】００１０
【補正方法】変更
【補正の内容】
【００１０】
また、請求項５記載の発明は、前記植付具（２８）が、昇降リンク機構（２９）の先端と結合して昇降する固定基部（４０７）と、この固定基部（４０７）に対して上下に移動可能なホルダー開閉基部（４０８）と、このホルダー開閉基部（４０８）に設けた２つの回動支点軸（２２５、２２６）をそれぞれの回動中心とするホルダー（２９１Ｒ、２９１Ｌ）と、このホルダー（２９１Ｒ、２９１Ｌ）にそれぞれ一体として固着している嘴形状の側部材（１０９Ｒ、１０９Ｌ）とにより構成され、前記ホルダー（２９１Ｒ、２９１Ｌ）のいずれかと一体として動作する回動操作アーム（２２８）を設け、この回動操作アーム（２２８）が、固定基部（４０７）側に設けたカウンターアーム（１０４）と回動操作アーム（２２８）を連結する開閉ロッド（２３１）の上下動作に従って回動することにより前記ホルダー（２９１Ｒ、２９１Ｌ）を開閉させ、前記固定基部（４０７）に対する前記ホルダー開閉基部（４０８）の上下移動にあわせて、前記回動操作アーム（２２８）と前記開閉ロッド（２３１）との連結部分（Ｃ）を上下に変更する構成とし、前記ホルダー開閉基部（４０８）が下端に位置した場合の前記連結部分（Ｃ）の上下動作の中央点（Ｃ１）が、前記ホルダー開閉基部（４０８）が上端に位置した場合の前記連結部分（Ｃ）の上下動作の中央点（Ｃ２）よりも、前記回動支点軸（２２５、２２６）を含む基準面（Ｂ）に近接している請求項１から請求項４のいずれかに記載の苗移植機である。
【手続補正３】
【補正対象書類名】明細書
【補正対象項目名】００１１
【補正方法】変更
【補正の内容】
【００１１】
また、請求項６記載の発明は、前記植付具（２８）の圃場への植付位置の側方を押圧するフィルム押圧具（４０９）を備え、前記フィルム押圧具（４０９）の圃場を押圧する前後方向に伸びた押圧部が、平面視において後方に向かうにしたがって、植付具（２８）側に近づくように配置され、前記フィルム押圧具（４０９）が、圃場に接する押圧シート（４１０）を備え、この押圧シート（４１０）の後方中央部分を切り欠き、昇降リンク機構（２９）が、植付具（２８）を上昇させると、前記フィルム押圧具（４０９）の上下動作機構が、前記フィルム押圧具（４０９）を下降位置に移動させる請求項１から請求項５のいずれかに記載の苗移植機である。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００２１
【補正方法】変更
【補正の内容】
【００２１】
請求項５記載の発明によれば、請求項１から請求項４記載の発明の効果に加えて、ホルダー（２９１Ｒ、２９１Ｌ）の２つの回動支点軸（２２５、２２６）を備えたホルダー開閉基部（４０８）が、昇降リンク機構（２９）の先端と結合して昇降する固定基部（４０７）に対して上下に移動可能な構成とすることにより、容易に植付深さを変更することができ、作業能率が向上すると共に、植付深さの変更調節範囲を大きくでき、深植えが可能となる。
【手続補正１０】
【補正対象書類名】明細書
【補正対象項目名】００２２
【補正方法】変更
【補正の内容】
【００２２】
また、固定基部（４０７）に対するホルダー開閉基部（４０８）の上下移動にあわせて、回動操作アーム（２２８）と開閉ロッド（２３１）との連結部分を上下に変更することができることにより、植付深さを変更した場合であっても、他の部分の調整を容易に行なうことができ作業能率が向上する。
【手続補正１１】
【補正対象書類名】明細書
【補正対象項目名】００２３
【補正方法】変更
【補正の内容】
【００２３】
更に、ホルダー開閉基部（４０８）が下端に位置した場合の連結部分（Ｃ）の上下動作の中央点（Ｃ１）が、上端に位置した場合の連結部分（Ｃ）の上下動作の中央点（Ｃ２）よりも、回動支点軸（２２５、２２６）を含む基準面（Ｂ）に近接していることにより、ホルダー開閉基部（４０８）が下端に位置する、即ち側部材（１０９Ｒ、１０９Ｌ）の圃場への突入量が多くなり、その開閉をするための動力がより必要になるときに、連結部分（Ｃ）の上下動作の中央点（Ｃ１）が、回動支点軸（２２５、２２６）を含む基準面（Ｂ）により近接し、開閉ロッド（２３１）の上下の推進力が適切に回動操作アーム（２２８）に伝達される。これにより圃場への突入量が多くなった場合でも適切に側部材（１０９Ｒ、１０９Ｌ）の開閉動作を行うことができる。
【手続補正１２】
【補正対象書類名】明細書
【補正対象項目名】００２４
【補正方法】変更
【補正の内容】
【００２４】
請求項６記載の発明によれば、請求項１から請求項５のいずれかに記載の発明の効果に加えて、植付具（２８）の圃場への植付位置の側方を押圧するフィルム押圧具（４０９）を備えたことにより、植付具（２８）の上昇動作によりマルチフィルムが持ち上がることを防止できる。
【手続補正１３】
【補正対象書類名】明細書
【補正対象項目名】００２５
【補正方法】変更
【補正の内容】
【００２５】
また、フィルム押圧具（４０９）の押圧部が平面視において後方に向かうにしたがって、植付具（２８）側に近づくように配置されたことにより、フィルム押圧具（４０９）にマルチフィルムが引っかかり、裂けるのを防止できる。
【手続補正１４】
【補正対象書類名】明細書
【補正対象項目名】００２６
【補正方法】変更
【補正の内容】
【００２６】
更に、フィルム押圧具（４０９）が、圃場に接する押圧シート（４１０）を備えたことにより、マルチフィルムが裂けるのを更に防止しやすくなる。またホルダー外部に付着した土を落とすことができる。加えて、押圧シート（４１０）の後方中央部分を切り欠いたことにより、押圧シート（４１０）が圃場の苗に干渉せず押し倒すようなことがないので、苗の安定育成を図ることができる。
【手続補正１５】
【補正対象書類名】明細書
【補正対象項目名】００２７
【補正方法】変更
【補正の内容】
【００２７】
しかも、昇降リンク機構（２９）が、植付具（２８）を上昇させると、フィルム押圧具（４０９）の上下動作機構が、前記フィルム押圧具（４０９）を下降位置に移動することにより、マルチフィルムが裂けるのを一層防止しやすくなる。